(57)【要約】  インプラント及びそれと組み合わされるカバースクリューを包装するための歯科用インプラント包装容器を提供する。第１容器本体、容器カバー及び上部カバーを備え、第１容器本体は、第１容器チャンバ、及び該第１容器チャンバと連通する第１容器開口を備え、容器カバーは、対向する第１端及び第２端を備え、第１端に係着部が設けられる。第１端は第１容器開口に着脱可能に取り付けられ、且つ容器カバーは第１容器本体とともに第１密閉チャンバを画定する。第２端に収納溝が設置され、上部カバーは、収納溝の溝に着脱可能に取り付けられ、容器カバーとともに第２密閉チャンバを画定する。組み合わされるインプラントとカバースクリューを収納でき、使いやすく、修復手術の進行に寄与する。  【選択図】図２
2021511842.tif 000002
【特許請求の範囲】
【請求項１】
インプラント及びそれと組み合わされるカバースクリューを包装するための歯科用インプラント包装容器であって、
第１容器本体、容器カバー及び上部カバーを備え、前記第１容器本体は、第１容器チャンバ、及び該第１容器チャンバと連通する第１容器開口を備え、前記容器カバーは、対向する第１端及び第２端を備え、前記第１端に係着部が設けられ、前記第１端は第１容器開口に着脱可能に取り付けられ、且つ前記容器カバーは前記第１容器本体とともに第１密閉チャンバを画定し、前記第２端に収納溝が設置され、前記上部カバーは、前記収納溝の溝口に着脱可能に取り付けられ、前記容器カバーとともに第２密閉チャンバを画定する、ことを特徴とする歯科用インプラント包装容器。
【請求項２】
前記容器カバーは、第１カバー本体及び第２カバー本体を備え、前記第１カバー本体の密閉端は前記第２カバー本体の密閉端と接続され、前記第１カバー本体の開口端は前記第１端であり、前記第２カバー本体の開口端は前記第２端であり、前記第１カバー本体は前記第１容器本体に螺着され、前記上部カバーは前記第２カバー本体と締まり嵌めされ、前記係着部は、前記第１カバー本体に取り付けられる、ことを特徴とする請求項１に記載の歯科用インプラント包装容器。
【請求項３】
前記第１カバー本体はネジ孔を備え、前記第１容器本体の外周面に雄ネジが設けられ、前記ネジ孔は前記雄ネジに螺着される、ことを特徴とする請求項２に記載の歯科用インプラント包装容器。
【請求項４】
前記第１カバー本体の内底壁に環状密封プレートが設置され、前記環状密封プレートの外周面と前記第１カバー本体の内周壁との間に環状密封溝が形成され、前記第１容器本体の端部は前記環状密封溝内に挿着され、前記第１容器本体と前記環状密封溝との接触面は第１密封面を形成する、ことを特徴とする請求項３に記載の歯科用インプラント包装容器。
【請求項５】
前記第１容器本体の外周面に第１回転防止用位置決めリブが設置され、前記第１カバー本体の内周壁に第２回転防止用位置決めリブが設置され、前記第１回転防止用位置決めリブは、前記第２回転防止用位置決めリブと係着され、且つ前記第２回転防止用位置決めリブと前記第２カバー本体との間に位置する、ことを特徴とする請求項３又は４に記載の歯科用インプラント包装容器。
【請求項６】
前記第２カバー本体は装着部、挿着部及びハンドル部を備え、前記装着部の一端は前記第１カバー本体と接続され、前記収納溝は装着部の他端に設けられ、前記装着部の内周壁に第１凹凸構造が設けられ、前記挿着部は前記収納溝内に取り付けられ、前記挿着部に第１係着溝が設けられ、前記ハンドル部は、前記装着部の外側に嵌設され、前記収納溝の径方向に沿って前記装着部の外周面から外向きに突出し、前記上部カバーの外周壁に第２凹凸構造が設けられ、前記上部カバーは前記収納溝内に挿着され、前記第１凹凸構造と前記第２凹凸構造は係着され且つその接触位置に第２密封面を画定する、ことを特徴とする請求項２に記載の歯科用インプラント包装容器。
【請求項７】
前記上部カバーは柱状部、環状操作部及び当接部を備え、前記柱状部に凹溝が設けられ、前記当接部は前記凹溝の溝底壁に取り付けられ、前記第２凹凸構造は前記柱状部の外周面に位置し、前記環状操作部は前記柱状部の一端面に取り付けられ、前記環状操作部は、前記柱状部の径方向に沿って前記柱状部の外周面から外向きに突出し、前記環状操作部の前記凹溝の溝口に近い環状面と前記ハンドル部の前記第１カバー本体から離れた環状面とは間隔をおいて設けられる、ことを特徴とする請求項６に記載の歯科用インプラント包装容器。
【請求項８】
更に第２容器本体を備え、前記第２容器本体は第２容器チャンバ、前記第２容器本体の側部に第２容器チャンバと連通する出入口及び前記第２容器本体の底部に位置される第２係着溝を備え、前記第２係着溝は前記第２容器チャンバと連通し、前記係着部は前記第２容器本体と着脱可能に接続される、ことを特徴とする請求項１に記載の歯科用インプラント包装容器。
【請求項９】
前記第２容器本体の上部に前記第２容器チャンバと連通する第２容器開口が設けられ、前記係着部は前記第２容器開口内に挿着される、ことを特徴とする請求項８に記載の歯科用インプラント包装容器。
【請求項１０】
前記第２容器本体は上部プレート、容器ネック、囲い、第１装着プレート及び第２装着プレートを備え、前記囲いの片側に切欠きが設けられ、前記切欠きは前記出入口であり、前記上部プレートは前記囲いの一端でカバーされ、前記容器ネックは前記上部プレートの前記囲いから離れた板面に取り付けられ、前記容器ネックの前記上部プレートから離れた一端に挿着溝が設けられ、前記第１装着プレートと前記第２装着プレートは前記囲いの長手方向に沿って前記囲い上に間隔をおいて設置され、前記第１装着プレートと第２装着プレートにいずれも前記第２係着溝が設けられ、前記上部プレート、第１装着プレート又は第２装着プレートのうちの少なくとも１つは前記第１容器本体の内周壁と接触する、ことを特徴とする請求項８に記載の歯科用インプラント包装容器。
【発明の詳細な説明】
【技術分野】
【０００１】
本発明は、医療器具分野に関し、特に、歯科用インプラント包装容器に関する。
【背景技術】
【０００２】
中国国内において口腔修復手術におけるインプラント技術の応用が益々増えており、それは埋込後に患者の咀嚼機能を回復させるとともに、外観に対するニーズを満たす。
【０００３】
歯科インプラントの使用過程において、その表面に収縮空孔、かき傷、へこみ等のような可視欠陥が発生することを防止し、特に、埋込前、空気中の物質との接触を遮断して無菌状態を保持することが必要である。埋め込む間も、インプラントの表面機能に影響を与えないように、空気中に露出する時間を短縮することが求められる。一回法の埋込手術に用いられるカバースクリューも、必ず同じ型番のインプラントと組み合わせて使用する必要がある。
【０００４】
従来技術においてカバースクリューとインプラントは分けて包装されているが、埋込手術において、カバースクリューの規格や種類が多く、注意を怠る等の理由で、カバースクリューとインプラントをセットで使用しないことがあり、これにより手術の過程で医師の操作がしにくくなるという影響が生じ、インプラント埋込手術の進捗を遅らせて、修復効果に影響を与える。
【発明の概要】
【発明が解決しようとする課題】
【０００５】
本発明は、従来のインプラントとカバースクリューが分けて包装されており、手術の過程でマッチングしないという状況が発生し、手術の効率及び質に影響を及ぼすという課題を改善する歯科インプラント包装容器を提供することを目的とする。
【課題を解決するための手段】
【０００６】
本発明は以下の技術的解決手段に基づき実現される。
【０００７】
上記目的に基づき、本発明の実施例は、インプラント及びそれと組み合わされるカバースクリューを包装するための歯科インプラント包装容器であって、第１容器本体、容器カバー及び上部カバーを備え、前記第１容器本体は、第１容器チャンバ、及び該第１容器チャンバと連通する第１容器開口を備え、前記容器カバーは、相互に対向する第１端及び第２端を備え、前記第１端に係着部が設けられ、前記第１端は、前記第１容器開口に着脱可能に取り付けられ、且つ前記容器カバーは前記第１容器本体とともに第１密閉チャンバを画定し、前記第２端に収納溝が設置され、前記上部カバーは、前記収納溝の溝口に着脱可能に取り付けられ、前記上部カバーは、前記容器カバーとともに第２密閉チャンバを画定する歯科インプラント包装容器を提供する。
【０００８】
前記容器カバーは、第１カバー本体及び第２カバー本体を備え、前記第１カバー本体の密閉端は前記第２カバー本体の密閉端と接続され、前記第１カバー本体の開口端は前記第１端であり、前記第２カバー本体の開口端は前記第２端であり、前記第１カバー本体は前記第１容器本体に螺着され、前記上部カバーは前記第２カバー本体と締まり嵌めされ、前記係着部は、前記第１カバー本体に取り付けられることが好ましい。
前記第１カバー本体はネジ孔を備え、前記第１容器本体の外周面に雄ネジが設けられ、前記ネジ孔は前記雄ネジに螺着されることが好ましい。
【０００９】
前記第１カバー本体の内底壁に環状密封プレートが設置され、前記環状密封プレートの外周面と前記第１カバー本体の内周壁との間に環状密封溝が形成され、前記第１容器本体の端部は前記環状密封溝内に挿着され、前記第１容器本体と前記環状密封溝との接触面は第１密封面を形成することが好ましい。
【００１０】
前記第１容器本体の外周面に第１回転防止用位置決めリブが設置され、前記第１カバー本体の内周壁に第２回転防止用位置決めリブが設置され、前記第１回転防止用位置決めリブは前記第２回転防止用位置決めリブと係着され、且つ前記第１回転防止用位置決めリブは前記第２回転防止用位置決めリブと前記第２カバー本体との間に位置することが好ましい。
【００１１】
前記第２カバー本体は、装着部、挿着部及びハンドル部を備え、前記装着部の一端は前記第１カバー本体と接続され、前記収納溝は装着部の他端に設けられ、前記装着部の内周壁に第１凹凸構造が設けられ、前記挿着部は前記収納溝内に取り付けられ、前記挿着部に第１係着溝が設けられ、前記ハンドル部は前記装着部の外側に嵌設され、前記ハンドル部は、前記収納溝の径方向に沿って前記装着部の外周面から外向きに突出し、前記上部カバーの外周壁に第２凹凸構造が設けられ、前記上部カバーは前記収納溝内に挿着され、前記第１凹凸構造と前記第２凹凸構造は係着され且つその接触位置に第２密封面を画定することが好ましい。
【００１２】
前記上部カバーは、柱状部、環状操作部及び当接部を備え、前記柱状部に凹溝が設けられ、前記当接部は前記凹溝の溝底壁上に取り付けられ、前記第２凹凸構造は前記柱状部の外周面に位置し、前記環状操作部は前記柱状部の一端面に取り付けられ、前記環状操作部は、前記柱状部の径方向に沿って前記柱状部の外周面から外向きに突出し、前記環状操作部の前記凹溝の溝口に近い環状面と前記ハンドル部の前記第１カバー本体から離れた環状面との間は間隔をおいて設けられることが好ましい。
【００１３】
更に第２容器本体を備え、前記第２容器本体は第２容器チャンバ、前記第２容器本体の側部に第２容器チャンバと連通する出入口及び前記第２容器本体底部に位置する第２係着溝を備え、前記第２係着溝は前記第２容器チャンバと連通し、前記係着部は前記第２容器本体と着脱可能に接続されることが好ましい。
前記第２容器本体の上部に前記第２容器チャンバと連通する第２容器開口が設けられ、前記係着部は前記第２容器開口内に挿着されることが好ましい。
【００１４】
前記第２容器本体は、上部プレート、容器ネック、囲い、第１装着プレート及び第２装着プレートを備え、前記囲いの片側に切欠きが設けられ、前記切欠きは前記出入口であり、前記上部プレートは前記囲いの一端でカバーされ、前記容器ネックは前記上部プレートの前記囲いから離れた板面に取り付けられ、前記第１装着プレートと前記第２装着プレートは前記囲いの長手方向に沿って前記囲い上に間隔をおいて設けられ、前記容器ネックの前記上部プレートから離れた一端に挿着溝が設けられ、前記第１装着プレートと第２装着プレートにいずれも前記第２係着溝が設けられ、前記上部プレート、第１装着プレート又は第２装着プレートのうちの少なくとも１つは前記第１容器本体の内周壁と接触することが好ましい。
【発明の効果】
【００１５】
従来技術に比べ、本発明の好適実施例が提供する歯科インプラント包装容器の有益な効果は以下のとおりである。
【００１６】
本発明が提供する歯科インプラント包装容器において、組み合わされるインプラント及びカバースクリュー（癒合キャップ）をそれぞれ収納するための第１密閉チャンバと第２密閉チャンバを設置することにより、医療従事者は、手術の過程で包装容器内からインプラント及びカバースクリューを取り出すだけで直接使用でき、カバースクリューとインプラントがマッチングしないことで手術の進捗及び効果に影響を及ぼすことがなく、患者の修復治療に有利である。且つインプラントとカバースクリューは、いずれも密閉チャンバ内に置かれているため、保存環境に優れ、外部環境からの汚染を受けにくい。使用時、カバースクリューを使用する場合、上部カバーを開け、カバースクリューを取り出すだけで良い。インプラントを使用する場合、容器カバーを開けると、インプラントは容器カバーと一体に接続されており、容器カバーを第１容器本体上から取り外した後、続けて容器カバーを操作して、容器カバーを用いてインプラントを第１容器本体内から容易に取り出すことができる。明らかな点として、インプラントとカバースクリューの取り扱い順序は必要に応じて選択することができ、両者は干渉せず、安全且つ確実に扱うことができる。
【図面の簡単な説明】
【００１７】
本発明の実施例の技術的解決手段をより明確に説明するために、以下に実施例で必要な図面を用いて簡単に説明するが、理解されるべき点として、以下の図面は本発明のいくつかの実施例を示すに過ぎず、その範囲を限定するものではない。当業者が、創造的な労力を要することなくこれらの図面に基づいて想到し得る他の図面も本発明の保護範囲に属する。
【図１】本実施例が提供する歯科インプラント包装容器の組立図である。
【図２】本実施例が提供する歯科インプラント包装容器の分解図である。
【図３】本実施例が提供する歯科インプラント包装容器の上部カバーの概略図である。
【図４】本実施例が提供する歯科インプラント包装容器の容器カバーの概略図である。
【図５】本実施例が提供する歯科インプラント包装容器の容器カバーの断面図である。
【図６】本実施例が提供する歯科インプラント包装容器の第１容器本体の概略図である。
【図７】本実施例が提供する歯科インプラント包装容器の第２容器本体の概略図である。
【図８】本実施例が提供する歯科インプラント包装容器の断面図である。
【発明を実施するための形態】
【００１８】
本発明の実施例の目的、技術的解決手段及び利点をより明確にするために、以下、本発明の実施例の図面を参照してき、本発明の実施例の技術的解決手段を明確、完全に説明するが、説明される実施例は本発明の実施例の一部であり、全てのではない。一般的に、図面において説明及び図示される本発明の実施例のアセンブリは、各種の異なる配置に従って手配及び設計されてもよい。従って、以下の図面において提供される本発明の実施例に対する詳細な説明は、特許請求される本発明の範囲を限定するものではなく、本発明の好適実施例を示すものに過ぎない。当業者が本発明の実施例に基づき、創造的労働を要さずに獲得する他の全ての実施例は、いずれも本発明の保護範囲に含まれる。
【００１９】
注意すべき点は以下のとおりである。以下の図面において、類似した記号及びアルファベットは類似の項目を示しており、項目の意味が図面の中で定義された場合、その後の図面においてその定義及び説明を省略する。
【００２０】
説明すべき点として、本発明の説明において、「中心」、「上」、「下」、「左」、「右」、「垂直」、「水平」、「内」、「外」等の用語が指示する方位又は位置関係は、図面に基づき指示される方位又は位置関係、又は本発明による製品を使用する時に一般的に配置される位置又は位置関係であり、本発明を説明し説明を簡略化するためのものに過ぎず、指示される装置又は素子が特定の方位にあり、特定の方位で構築及び操作されるべきであることを指示又は示唆するものではなく、したがって本発明を限定するものであると解釈すべきではない。また、「第１」、「第２」、「第３」等の用語は、区別して説明するために用いられ、相対的な重要性を指示又は示唆するものである解釈すべきではない。
【００２１】
また、「水平」、「垂直」、「垂下」等の用語は、部品が絶対に水平又は垂下であることを要求するものではなく、多少傾いても良い。例えば、「水平」という用語は、該構造が絶対に水平であることに限定されるものではなく、その方向が「垂直」に対してより水平であることであり、多少傾いても良い。
【００２２】
説明すべき点として、本発明の説明において、別途明確な規定や限定がない限り、「設置」、「取り付け」、「連結」、「接続」という用語は広義に理解すべきである。例えば、固定接続であってもよく，着脱可能な接続又は一体的な接続であってもよい。機械的接続であってもよく、電気的な接続であってもよい。直接接続してもよく、中間媒体を介して間接的に接続されるものであってもよく、また、２つの素子内部の連通であってもよい。当業者にとっては、具体的な状況に応じて、本発明における上記用語の具体的な意味を理解することができる。
説明すべき点として、矛盾しない場合、本発明における実施例及び実施例における特徴を互いに組み合わせることができる。
実施例１
【００２３】
本実施例は、組み合わせて使用されるインプラント及びカバースクリュー（癒合キャップ）を包装するための歯科インプラント包装容器を提供する。医療従事者は治療の過程で、包装容器内から組み合わされたインプラント及びカバースクリューを取り出すことができ、カバースクリューとインプラントがマッチングしないことで手術の進捗が遅れることや修復の効果に劣るという問題を防ぐ。
【００２４】
図１、図２及び図８によると、本実施例が提供する歯科インプラント包装容器は、第１容器本体００１、容器カバー００２及び上部カバー００３を備える。第１容器本体００１は、第１容器チャンバ１００、及び該第１容器チャンバ１００と連通する第１容器開口１１０を備える。容器カバー００２は、対向する第１端及び第２端を備える。第１端に係着部２２０が設けられる。第１端は、第１容器開口１１０に着脱可能に取り付けられ、且つ容器カバー００２は第１容器本体００１とともに第１密閉チャンバ００５を画定する。第２端に収納溝２１１１が設置される。上部カバー００３は、収納溝２１１１の溝口に着脱可能に取り付けられる。上部カバー００３は、容器カバー００２とともに第２密閉チャンバ００６を画定する。
【００２５】
本発明が提供する歯科インプラント包装容器において、組み合わされるインプラント及びカバースクリュー（癒合キャップ）をそれぞれ収納するための第１密閉チャンバ００５と第２密閉チャンバ００６を設置することにより、医療従事者は手術の過程で包装容器内からインプラント及びカバースクリューを取り出すだけで直接使用でき、カバースクリューとインプラントがマッチングしないことで手術の進捗及び効果に影響を及ぼすことがなく、患者の修復治療に有利である。且つインプラントとカバースクリューは、いずれも密閉チャンバ内に置かれているため、保存環境に優れ、外部環境からの汚染を受けにくい。
【００２６】
使用時、カバースクリューを使用する場合、上部カバー００３を開け、カバースクリューを取り出すだけで良い。インプラントを使用する際、容器カバー００２を開けると、インプラントは容器カバー００２と一体に接続されており、容器カバー００２を第１容器本体００１上から取り外した後、続けて容器カバー００２を操作して、容器カバー００２を用いてインプラントを第１容器本体００１内から容易に取り出すことができる。明らかな点として、インプラントとカバースクリューの取り扱い順序は必要に応じて選択することができ、両者は干渉せず、安全且つ確実に扱うことができる。
図３によると、本実施例において、上部カバー００３は、円筒状の柱状部３００、円環状の環状操作部３１０及び円柱状の当接部３２０を備える。
【００２７】
柱状部３００は、一端が密閉され、他端が開口しており、凹溝を有するカバー本体構造を構成する。柱状部３００の外周面に第２凹凸構造３０１が設けられる。第２凹凸構造３０１は環状突起でもよい。環状突起は、柱状部３００の径方向に沿って柱状部３００の外周面から外向きに突出する。環状突起は柱状部３００と同軸に設置される。当接部３２０は、凹溝の溝底壁上に取り付けられ、柱状部３００と同軸に設けられる。当接部３２０の溝底壁から離れた一端は当接表面として、カバースクリューの端面に当接して、カバースクリューがその軸線方向に沿って移動するのを規制するために用いられ、カバースクリューの位置をより堅牢で確実にする。環状操作部３１０は、柱状部３００の密閉端に取り付けられ、柱状部３００と同軸に設置される。環状操作部３１０は、柱状部３００の径方向に沿って柱状部３００の外周面から外向きに突出する。
【００２８】
他の実施例において、柱状部３００は、両端が開口している円柱筒であっても良い。環状操作部３１０は、柱状部３００の一端面でカバーされ、柱状部３００とともにカバー本体構造を形成する。環状操作部３１０の一方の板面は凹溝の溝底壁である。
【００２９】
図４と図５によると、本実施例において、容器カバー００２は、第１カバー本体２００及び第２カバー本体２１０を備える。第１カバー本体２００と第２カバー本体２１０は、いずれも円状のカバーであり、同軸に設置され、それぞれの密閉端が接続される。
【００３０】
第１カバー本体２００の開口端は第１端であり、第１カバー本体２００はネジ孔２０１を備え、すなわち、第１カバー本体２００の内周壁に雌ネジが設けられることが好ましい。第１カバー本体２００の内底壁に環状密封プレート２０２及び係着部２２０が設置される。環状密封プレート２０２は、断面の形状が円環状であり、第１カバー本体２００と同軸に設置される。環状密封プレート２０２と第１カバー本体２００の内周壁との間に環状密封溝２０３を形成する。係着部２２０は円柱状であり、環状密封プレート２０２内に位置する。係着部２２０と第１カバー本体２００は同軸に設置される。さらに、係着部２２０の外周面に環状係着突起２２１が設けられる。第１カバー本体２００の内周壁に第１回転防止用位置決めリブ１２０が設置される。第１回転防止用位置決めリブ１２０は、円環状突起であり、第１カバー本体２００と同軸に設置され、第１カバー本体２００の雌ネジと開口端との間に位置し、第１カバー本体２００の軸線方向に沿うその両側面がいずれも斜面である。更に、第１カバー本体２００の外周面に滑り止め模様２０５が設置される。これにより、第１カバー本体２００を操作する際、滑りにくく、扱いやすくなり安全に操作することができる。
【００３１】
第２カバー本体２１０の開口端は第２端である。第２カバー本体２１０は装着部２１１、挿着部２１２及びハンドル部２１３を備える。装着部２１１は円筒状であり、一端が密閉される。該密閉端は第１カバー本体２００と接続され、且つ装着部２１１は第１カバー本体２００と同軸に設置されることが好ましい。収納溝２１１１は装着部２１１の他端に設置される。装着部２１１の内周壁に第１凹凸構造２１１２が設置される。第１凹凸構造２１１２は円状凹溝であってもよく、装着部２１１と同軸に設置される。上部カバー００３の柱状部３００は収納溝２１１１内に挿着される。且つ、第１凹凸構造２１１２と第２凹凸構造３０１は締まり嵌めにより係着され且つその接触位置箇所に第２密封面を画定する。上部カバー００３と装着部２１１は第２密閉チャンバ００６を画定する。挿着部２１２は円柱状である。挿着部２１２にカバースクリューを挿着するための第１係着溝２１２１が設置される。第１係着溝２１２１は円柱状の溝である。挿着部２１２は、収納溝２１１１内に取り付けられ、装着部２１１の溝底壁に接続され、且つ装着部２１１と同軸に設置される。ハンドル部２１３は、円盤状であり、装着部２１１の外側に嵌設され、装着部２１１と同軸に設置され、収納溝２１１１の径方向に沿って装着部２１１の外周面から外向きに突出する。上部カバー００３が容器カバー００２にカバーされることで、環状操作部３１０の上部カバー００３の凹溝の溝に近い環状面と、ハンドル部２１３の第１カバー本体２００から離れた環状面との間に隙間が形成される。これにより、上部カバー００３を容器カバー００２から取り外しやすくなる。隙間の大きさを詳しく限定することなく、必要に応じて設定してもよい。
【００３２】
図６によると、本実施例において、第１容器本体００１は、一端が密閉され他端が開放されている円筒状である。第１容器本体００１の外周面の第１容器開口１１０に近い箇所に、雄ネジ１３０が設けられる。第１容器本体００１の外周面に第２回転防止用位置決めリブ２０４が設けられる。第２回転防止用位置決めリブ２０４は、雄ネジ１３０と第１容器本体００１の底部との間に位置し、円環状突起である。第１カバー本体２００はネジ孔２０１を介して第１容器本体００１に螺着される。第１カバー本体２００をねじ込む過程で、第１カバー本体２００の第１回転防止用位置決めリブ１２０が第１容器本体００１の第２回転防止用位置決めリブ２０４を越えると、操作者は抵抗感及び両者の摩擦により生じる音をはっきり感知することができる。これにより、第１カバー本体２００と第１容器本体００１との螺着が完了し、操作が容易で確実になる。且つ第１カバー本体２００の螺着が完了した後、第１容器本体００１は環状密封溝２０３内に挿着される。第１容器本体００１と環状密封溝２０３との接触面は第１密封面を構成する。第１回転防止用位置決めリブ１２０と第２回転防止用位置決めリブ２０４との組み合わせによって、第１カバー本体２００が第１容器本体００１に対して回転し緩むことを防止し、より安全で確実に搬送することができる。
【００３３】
図６によると、本実施例において、歯科インプラント包装容器は更に第２容器本体００４を備える。第２容器本体００４は、上部プレート４００、容器ネック４１０、囲い４２０、第１装着プレート４３０及び第２装着プレート４４０を備える。
【００３４】
上部プレート４００は円状のプレートである。容器ネック４１０は円柱状であり、上部プレート４００に取り付けられ、上部プレート４００と同軸に設けられる。容器ネック４１０の上部プレート４００から離れた一端に係着部２２０を挿着するための第２容器開口４１１が設置される。第２容器開口４１１は、上部を貫通する円柱状孔である。第２容器開口４１１の内壁に環状係着突起２２１と係着されて嵌合される環状係着凹溝が設置される。これにより、第２容器本体００４と容器カバー００２との接続の堅牢さを強化する。囲い４２０は、順次接続される第１矩形状プレート４２３、第２矩形状プレート４２４及び第３矩形状プレート４２５を含む。第１矩形状プレート４２３は、第３矩形状プレート４２５と平行であり、第３矩形状プレート４２５との間に切欠きが形成される。切欠きはインプラントを出し入れする出入口４２２である。囲い４２０によって囲まれた領域は第２容器チャンバ４２１である。第２容器開口４１１は第２容器チャンバ４２１と連通する。上部プレート４００は囲い４２０の一端でカバーされる。第１装着プレート４３０と第２装着プレート４４０は囲い４２０の他端の近くにあり、第１装着プレート４３０と第２装着プレート４４０は囲い４２０の長手方向に沿って囲い４２０上に間隔をおいて設置される。第１装着プレート４３０と第２装着プレート４４０にいずれも第２係着溝４５０が設置される。第２係着溝４５０の溝口は切欠きと同一側に位置する。上部プレート４００、第１装着プレート４３０又は第２装着プレート４４０のうちの少なくとも１つは第１容器本体００１の内周壁と接触する。
【００３５】
本実施例が提供する歯科インプラント包装容器において、インプラントの付属品は第２容器本体００４の第２係着溝４５０内に係着される。第２係着溝４５０が２つ設置されることで、接触点が多くなり、インプラントの位置をより安定させる。次に、第２容器本体００４の容器ネック４１０を容器カバー００２の係着部２２０に挿着して固定させる。第２容器本体００４を第１容器チャンバ１００内に挿着する。この過程で、容器カバー００２を第１容器本体００１の外側に螺着する。容器カバー００２と第１容器本体００１は第１密閉チャンバ００５を形成する。インプラントが第１密閉チャンバ００５内に位置する。インプラントは支えがなく浮いているため、第２容器本体００４の内壁と接触しにくく、安全且つ確実に配置される。且つ、第１容器本体００１の内壁は第２容器本体００４の外壁と少なくとも部分的に接触する。第２容器本体００４が第１容器本体００１内に挿着されると、両者の相対的ながたつきを抑制する。第２容器本体００４を取り出す過程で、容器カバー００２を操作するだけで第２容器本体００４を同時に取り出すことができ、扱いやすい。且つ、第１容器本体００１の内壁がガイドとして機能するため、同様にがたつきを抑制するとともに、衝突する確率を低下させる。これにより、搬送及び取り出しを安全且つ確実に行うことができる。カバースクリューを容器カバー００２の第１係着溝２１２１内に挿着してから、上部カバー００３を容器カバー００２内に挿着する。これにより、上部カバー００３と容器カバー００２により第２密閉チャンバ００６が形成され、カバースクリューを安全に保存することができる。
なお、インプラントとカバースクリューの着脱順序は、詳しく限定することなく、必要に応じて選択してもよい。
【００３６】
上記は本発明の好ましい実施形態であるに過ぎず、本発明を限定するものではなく、当業者にとって本発明は各種修正や変更が可能である。本発明の主旨と原則の範囲内で行われるいかなる修正、等価置換、改良などはいずれも本発明の保護範囲に含まれる。
【符号の説明】
【００３７】
００１  第１容器本体、１００  第１容器チャンバ、１１０  第１容器開口、１２０  第１回転防止用位置決めリブ、１３０  雄ネジ、００２  容器カバー、２００  第１カバー本体、２０１  ネジ孔、２０２  環状密封プレート、２０３  環状密封溝、２０４  第２回転防止用位置決めリブ、２０５  滑り止め模様、２１０  第２カバー本体、２１１  装着部、２１１１  収納溝、２１１２  第１凹凸構造、２１２  挿着部、２１２１  第１係着溝、２１３  ハンドル部、２２０  係着部、２２１  環状係着突起、００３  上部カバー、３００  柱状部、３０１  第２凹凸構造、３１０  環状操作部、３２０  当接部、００４  第２容器本体、４００  上部プレート、４１０  容器ネック、４１１  第２容器開口、４２０  囲い、４２１  第２容器チャンバ、４２２  出入口、４２３  第１矩形状プレート、４２４  第２矩形状プレート、４２５  第３矩形状プレート、４３０  第１装着プレート、４４０  第２装着プレート、４５０  第２係着溝、００５  第１密閉チャンバ、００６  第２密閉チャンバ、００７  隙間
【図１】
2021511842.tif 000003
【図２】
2021511842.tif 000004
【図３】
2021511842.tif 000005
【図４】
2021511842.tif 000006
【図５】
2021511842.tif 000007
【図６】
2021511842.tif 000008
【図７】
2021511842.tif 000009
【図８】
2021511842.tif 000010
【国際調査報告】
2021511842.tif 000011
2021511842.tif 000012
2021511842.tif 000013
2021511842.tif 000014
2021511842.tif 000015
2021511842.tif 000016